【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
メディアプレーヤーのメディアコンテンツをホストコンピュータとシンクロする方法であって、
メディアプレーヤーの前記ホストコンピュータへの接続を検出すること、および
前記メディアプレーヤーおよび前記ホストコンピュータの間でメディアコンテンツをシンクロさせること
を含む方法。
【請求項２】
請求項１に記載の方法であって、前記接続は前記メディアプレーヤーおよび前記ホストコンピュータの間のデータリンクによって提供される方法。
【請求項３】
請求項１に記載の方法であって、前記シンクロさせることは、前記プレーヤーのメディア情報を前記ホストのメディア情報と比較することに基づく方法。
【請求項４】
請求項１に記載の方法であって、前記メディアプレーヤーは携帯メディアプレーヤーである方法。
【請求項５】
請求項１に記載の方法であって、前記メディアプレーヤーはオーディオプレーヤーを備え、前記メディアコンテンツは少なくとも曲のオーディオファイルを含む方法。
【請求項６】
請求項１に記載の方法であって、前記メディアプレーヤーはビデオプレーヤーを備え、前記メディアコンテンツは少なくともビデオのビデオファイルを含む方法。
【請求項７】
請求項１に記載の方法であって、前記メディアプレーヤーはイメージビューワーを備え、前記メディアコンテンツは少なくとも画像の画像ファイルを含む方法。
【請求項８】
請求項１に記載の方法であって、前記メディアプレーヤーおよび前記ホストコンピュータの間の前記メディアコンテンツの前記シンクロは、前記メディアプレーヤーの前記ホストコンピュータへの接続がいったん検出されると自動的に実行される方法。
【請求項９】
請求項１に記載の方法であって、前記メディアプレーヤーはプレーヤーメディア情報を記憶する第１メディアデータベースを含み、前記ホストコンピュータはホストメディア情報を記憶する第２メディアデータベースを含み方法。
【請求項１０】
請求項９に記載の方法であって、前記シンクロは、
前記プレーヤーメディア情報を、前記メディアプレーヤー上に設けられた前記第１メディアデータベースから読み出すこと、
前記プレーヤーメディア情報を、前記ホストコンピュータ上に設けられた前記第２メディアデータベースからの前記ホストメディア情報と比較することであって、前記比較することは比較情報を作る、比較すること、
どのメディアアイテムが前記メディアプレーヤーおよび前記ホストコンピュータの間でコピーされるべきかを前記比較情報に基づいて判断すること、および
前記シンクロを実行するために前記判断されたメディアアイテムをコピーすること
を含む方法。
【請求項１１】
請求項１０に記載の方法であって、
前記メディアプレーヤーから削除されるべきメディアアイテムを前記比較情報に基づいて特定すること、および
前記特定されたメディアアイテムを前記メディアプレーヤーから削除すること
をさらに含む方法。
【請求項１２】
請求項１１に記載の方法であって、前記特定されたメディアアイテムは、前記メディアプレーヤー上には存在するが、前記ホストコンピュータ上には存在しないメディアアイテムである方法。
【請求項１３】
請求項１０に記載の方法であって、
前記第１および第２メディアデータベースのうちの１つまたは両方をアップデートすること
をさらに含む方法。
【請求項１４】
請求項１０に記載の方法であって、前記比較は、少なくとも曲目、アルバム名およびアーチスト名を比較するよう動作する方法。
【請求項１５】
請求項１４に記載の方法であって、前記比較は、メディアアイテムのクオリティの特徴をさらに比較するよう動作する方法。
【請求項１６】
請求項１５に記載の方法であって、前記クオリティの特徴は、ビットレート、サンプルレート、イコライゼーション設定、ボリューム設定、スタート／ストップおよび総時間のうちの少なくとも１つを含む方法。
【請求項１７】
請求項１０に記載の方法であって、前記メディアプレーヤーはポケットサイズのメディアプレーヤーである方法。
【請求項１８】
請求項１０に記載の方法であって、前記メディアプレーヤーはＭＰ３プレーヤーであって、前記メディアアイテムは少なくとも曲のオーディオファイルを含む方法。
【請求項１９】
請求項１に記載の方法であって、前記メディアプレーヤーはプレーヤーメディア情報を記憶し、前記ホストコンピュータはホストメディア情報を記憶する方法。
【請求項２０】
請求項１９に記載の方法であって、前記シンクロすることは、
前記プレーヤーメディア情報を前記メディアプレーヤーから読み出すこと、
前記プレーヤーメディア情報を前記ホストコンピュータからの前記ホストメディア情報と比較することによって比較情報を作ること、
前記メディアプレーヤーおよび前記ホストコンピュータの間でどのメディアアイテムがコピーされるべきかを前記比較情報に基づいて判断すること、および
前記判断されたメディアアイテムをコピーすることによって前記シンクロを実行すること
を含む方法。
【請求項２１】
請求項２０に記載の方法であって、前記プレーヤーメディア情報および前記ホストメディア情報は前記メディアアイテムの属性に関する情報である方法。
【請求項２２】
請求項２１に記載の方法であって、前記属性は少なくとも曲目、アルバム名およびアーチスト名を含む方法。
【請求項２３】
請求項２２に記載の方法であって、前記属性はさらにクオリティの特徴を含む方法。
【請求項２４】
請求項２３に記載の方法であって、前記クオリティの特徴は、ビットレート、サンプルレート、イコライゼーション設定、ボリューム設定、スタート／ストップおよび総時間のうちの少なくとも１つを含む方法。
【請求項２５】
請求項２０に記載の方法であって、前記シンクロすることは、
前記メディアプレーヤーから削除されるべきメディアアイテムを前記比較情報に基づいて特定すること、および
前記特定されたメディアアイテムを前記メディアプレーヤーから削除すること
を含む方法。
【請求項２６】
請求項２５に記載の方法であって、前記特定されたメディアアイテムは、前記メディアプレーヤー上には存在するが、前記ホストコンピュータ上には存在しないメディアアイテムである方法。
【請求項２７】
請求項２５に記載の方法であって、前記プレーヤーメディア情報および前記ホストメディア情報は、前記メディアアイテムの属性およびクオリティの特徴に関する方法。
【請求項２８】
請求項２７に記載の方法であって、前記属性は少なくとも曲目、アルバム名およびアーチスト名を含み、前記クオリティの特徴は、ビットレート、サンプルレート、イコライゼーション設定、ボリューム設定、スタート／ストップおよび総時間のうちの少なくとも１つを含む方法。
【請求項２９】
携帯メディアプレーヤーであって、
複数のメディアアイテムを記憶する記憶ディスク、
前記携帯メディアプレーヤーのユーザが前記複数のメディアアイテムから特定のメディアアイテムを少なくとも選択できるようにするユーザ入力デバイス、
前記メディアアイテムのうちの少なくとも１つを記憶できるキャッシュメモリ、
前記記憶ディスクおよび前記キャッシュメモリに記憶された前記メディアアイテムについての特徴情報を記憶するメディアデータベース、および
前記記憶ディスク、前記ユーザ入力デバイス、前記キャッシュメモリおよび前記メディアデータベースに動作可能に接続されたプロセッサであって、前記プロセッサは前記携帯メディアプレーヤーを制御することで前記メディアアイテムを記憶、削除および再生するプロセッサ
を備える携帯メディアプレーヤー。
【請求項３０】
請求項２９に記載の携帯メディアプレーヤーであって、電池駆動である携帯メディアプレーヤー。
【請求項３１】
請求項３０に記載の携帯メディアプレーヤーであって、前記携帯メディアプレーヤーはオーディオプレーヤーであって、前記メディアアイテムは曲である携帯メディアプレーヤー。
【請求項３２】
メディアプレーヤーであって、前記メディアプレーヤー内に設けられたメディアデータベースを備え、前記メディアデータベースは前記メディアプレーヤー上に記憶されたメディアアイテムについてのメディア情報を記憶することを特徴とするメディアプレーヤー。
【請求項３３】
請求項３２に記載のメディアプレーヤーであって、前記メディアプレーヤーはハンドヘルドメディアプレーヤーであって、前記メディアアイテムはオーディオファイルであるメディアプレーヤー。
【請求項３４】
メディアプレーヤーのメディアアイテムをホストコンピュータとシンクロする方法であって、前記メディアプレーヤーはプレーヤーメディア情報を記憶し、前記ホストコンピュータはホストメディア情報を記憶し、前記方法は、
前記メディアプレーヤーからメディアプレーヤー識別子を取り出すこと、
前記メディアプレーヤー識別子を前記ホストコンピュータに記憶されるシンクロされたデバイスの識別子と比較することで第１比較情報を作ること、
前記メディアプレーヤーの前記ホストコンピュータとのシンクロが実行されるべきかを前記第１比較情報に基づいて判断すること、および
前記判断が、前記メディアプレーヤーの前記ホストコンピュータとのシンクロが実行されるべきだと決定するとき、前記メディアプレーヤーを前記ホストコンピュータと自動的にシンクロすること
を含む方法。
【請求項３５】
請求項３４に記載の方法であって、前記第１比較情報は、前記メディアプレーヤー識別子が前記シンクロ識別子と一致するかどうかを示す方法。
【請求項３６】
請求項３４に記載の方法であって、
前記判断することは、前記第１比較情報が、前記メディアプレーヤー識別子が前記シンクロ識別子と一致することを示すときに、前記メディアプレーヤーのシンクロが実行されるべきであると決定し、
前記判断することは、前記第１比較情報が、前記メディアプレーヤー識別子が前記シンクロ識別子と一致しないことを示すときに、前記メディアプレーヤーのシンクロが実行されるべきではないと決定する
方法。
【請求項３７】
請求項３６に記載の方法であって、前記メディアプレーヤーの前記ホストコンピュータとの前記シンクロは、前記判断することが、前記メディアプレーヤー識別子が前記シンクロ識別子と一致すると決定するときに、自動的に実行される方法。
【請求項３８】
請求項３７に記載の方法であって、前記メディアプレーヤーの前記ホストコンピュータとの前記シンクロは、前記判断することが、前記メディアプレーヤー識別子が前記シンクロ識別子と一致しないと決定するときには実行されない方法。
【請求項３９】
請求項３６に記載の方法であって、
前記判断が、前記メディアプレーヤー識別子が前記シンクロ識別子と一致しないと決定するときに、前記メディアプレーヤーが前記ホストコンピュータにアサインされるべきかについて前記メディアプレーヤーのユーザに問い合わせすると共に、以前にアサインされたメディアプレーヤーをアサイン解除すること
をさらに含む方法。
【請求項４０】
請求項３９に記載の方法であって、
前記問い合わせが、前記メディアプレーヤーが前記ホストコンピュータにアサインされるべきであると決定するとき、前記メディアプレーヤーを前記ホストコンピュータにアサインすること
をさらに含む方法。
【請求項４１】
請求項４０に記載の方法であって、前記アサインすることは、新しくアサインされたメディアプレーヤー識別子を前記メディアプレーヤーに記憶する方法。
【請求項４２】
請求項４０に記載の方法であって、前記アサインすることは、
前記メディアプレーヤーについてのアサインされた識別子を前記ホストコンピュータにおいて得ること、および
前記アサインされた識別子を前記メディアプレーヤーに前記メディアプレーヤー識別子として記憶すること
を含む方法。
【請求項４３】
請求項４０に記載の方法であって、前記アサインすることは、
前記ホストコンピュータについてのアサインされた識別子を前記メディアプレーヤーにおいて得ること、および
前記アサインされた識別子を前記ホストコンピュータに前記シンクロ識別子として記憶すること
を含む方法。
【請求項４４】
請求項３４に記載の方法であって、前記メディアプレーヤーの前記ホストコンピュータとの前記シンクロは、
前記プレーヤーメディア情報を前記メディアプレーヤーから読み出すこと、
前記プレーヤーメディア情報を前記ホストコンピュータからの前記ホストメディア情報と比較することでメディア比較情報を作ること、
前記メディア比較情報に基づいて、どのメディアアイテムが前記メディアプレーヤーおよび前記ホストコンピュータ間でコピーされるべきかを判断すること、および
前記判断されたメディアアイテムをコピーすることで前記シンクロを実行すること
を含む方法。
【請求項４５】
請求項４４に記載の方法であって、前記プレーヤーメディア情報および前記ホストメディア情報は、前記メディアアイテムの属性またはクオリティの特徴に関する方法。
【請求項４６】
請求項４４に記載の方法であって、前記属性は少なくとも曲目、アルバム名およびアーチスト名を含む方法。
【請求項４７】
請求項４６に記載の方法であって、前記クオリティの特徴は、ビットレート、サンプルレート、イコライゼーション設定、ボリューム設定、スタート／ストップおよび総時間のうちの少なくとも１つを含む方法。
【請求項４８】
請求項４４に記載の方法であって、
前記メディア比較情報に基づいて前記メディアプレーヤーから削除されるべきメディアアイテムを特定すること、および
前記メディアプレーヤーから前記特定されたメディアアイテムを削除すること
をさらに含む方法。
【請求項４９】
請求項４８に記載の方法であって、前記特定されたメディアアイテムは、前記メディアプレーヤー上には存在するが、前記ホストコンピュータ上には存在しないメディアアイテムである方法。
【請求項５０】
請求項４８に記載の方法であって、前記プレーヤーメディア情報および前記ホストメディア情報は、前記メディアアイテムの属性およびクオリティの特徴に関する方法。
【請求項５１】
請求項５０に記載の方法であって、前記属性は少なくとも曲目、アルバム名およびアーチスト名を含み、前記クオリティの特徴は、ビットレート、サンプルレート、イコライゼーション設定、ボリューム設定、スタート／ストップおよび総時間のうちの少なくとも１つを含む方法。
【請求項５２】
請求項３４に記載の方法であって、
前記メディアプレーヤーはプレーヤーメディア情報を記憶する第１メディアデータベースを有し、前記ホストコンピュータはホストメディア情報を記憶する第２メディアデータベースを有し、
前記コピーすることは、
前記プレーヤーメディア情報を前記メディアプレーヤー上に設けられた前記第１メディアデータベースから読み出すこと、
前記プレーヤーメディア情報を前記ホストコンピュータ上に設けられた前記第２メディアデータベースからの前記ホストメディア情報と比較し、前記比較は比較情報を作り、
前記比較情報に基づいて前記メディアプレーヤーおよび前記ホストコンピュータ間でどのメディアアイテムがコピーされるべきかを判断すること、および
前記判断されたメディアアイテムをコピーして前記シンクロを実行すること
を含む方法。
【請求項５３】
請求項５２に記載の方法であって、
前記第１および第２メディアデータベースのうちの１つまたは両方をアップデートすること
をさらに含む方法。
【請求項５４】
メディアプレーヤーのメディアアイテムをホストコンピュータとシンクロするコンピュータプログラムコードを少なくとも含むコンピュータで読み取り可能な媒体であって、前記メディアプレーヤーはプレーヤーメディア情報を記憶し、前記ホストコンピュータはホストメディア情報を記憶し、前記コンピュータで読み取り可能な媒体は、
前記メディアプレーヤーからメディアプレーヤー識別子を取り出すコンピュータプログラムコード、
前記メディアプレーヤー識別子を前記ホストコンピュータに記憶されるシンクロされたデバイスの識別子と比較することで第１比較情報を作るコンピュータプログラムコード、
前記メディアプレーヤーの前記ホストコンピュータとのシンクロが実行されるべきかを前記第１比較情報に基づいて判断するコンピュータプログラムコード、および
前記判断が、前記メディアプレーヤーの前記ホストコンピュータとのシンクロが実行されるべきだと決定するとき、前記メディアプレーヤーを前記ホストコンピュータと自動的にシンクロするコンピュータプログラムコード
を含む方法。
【請求項５５】
請求項５４に記載のコンピュータで読み取り可能な媒体であって、前記メディアプレーヤーを前記ホストコンピュータと自動的にシンクロする前記コンピュータプログラムコードは、
前記プレーヤーメディア情報を前記メディアプレーヤーから読み出すコンピュータプログラムコード、
前記プレーヤーメディア情報を前記ホストコンピュータからの前記ホストメディア情報と比較することでメディア比較情報を作るコンピュータプログラムコード、
前記メディア比較情報に基づいて、どのメディアアイテムが前記メディアプレーヤーおよび前記ホストコンピュータ間でコピーされるべきかを判断するコンピュータプログラムコード、および
前記判断されたメディアアイテムをコピーすることで前記シンクロを実行するコンピュータプログラムコード
を含む方法。
【請求項５６】
メディアデータを管理および再生するシステムであって、
複数のメディアアイテムおよび少なくとも第１プレイリストを記憶するホストコンピュータであって、前記第１プレイリストは前記ホストコンピュータと対話するユーザによって作られることで前記第１プレイリスト内に含まれるべき前記メディアアイテムのうちの一部を選択する、ホストコンピュータ、および
前記ホストコンピュータに動作可能に接続されるとき、前記メディアアイテムのうちの１つ以上についてのメディアデータを前記ホストコンピュータから受け取り、前記受け取られたメディアデータを記憶し、前記ホストコンピュータから少なくとも前記第１プレイリストを受け取り、前記第１プレイリストを記憶する携帯メディアプレーヤー
を備えるシステム。
【請求項５７】
請求項５６に記載のシステムであって、前記メディアプレーヤーは前記メディアアイテムを記憶するハードドライブを含み、前記第１プレイリストは前記ホストコンピュータから受け取られるシステム。
【請求項５８】
請求項５６に記載のシステムであって、前記ホストコンピュータは前記ホストコンピュータおよび前記携帯メディアプレーヤーの両方の上で前記メディアアイテムを管理するのに用いられるシステム。
【請求項５９】
請求項５８に記載のシステムであって、前記携帯メディアプレーヤーが動作可能に前記ホストコンピュータと接続するとき、前記携帯メディアプレーヤー上に記憶される前記メディアアイテムは、前記ホストコンピュータ上に記憶される前記メディアアイテムとシンクロされるシステム。
【請求項６０】
請求項５６に記載のシステムであって、
前記ホストコンピュータは少なくとも管理モジュールおよび再生モジュールを含み、
前記携帯メディアプレーヤーは少なくとも再生モジュールを含むが、管理モジュールは含まない
システム。
【請求項６１】
請求項６０に記載のシステムであって、前記管理モジュールはユーザが前記ホストコンピュータからメディアアイテムを追加および削除できるようにするシステム。
【請求項６２】
請求項６１に記載のシステムであって、いったん前記携帯メディアプレーヤーが前記ホストコンピュータに接続すると、メディアアイテムは前記携帯メディアプレーヤーに自動的に追加または削除されるシステム。
【請求項６３】
請求項６２に記載のシステムであって、前記管理モジュールは、いったん前記携帯メディアプレーヤーが前記ホストコンピュータに接続すると、前記管理モジュールは前記携帯メディアプレーヤーおよび前記ホストコンピュータ間でメディアアイテムをシステムさせるように動作するシステム。
【請求項６４】
請求項６３に記載のシステムであって、前記携帯メディアプレーヤーはプレーヤーメディア情報を記憶するメディアデータベースを含み、前記ホストコンピュータはホストメディア情報を記憶するメディアデータベースを含むシステム。
【請求項６５】
請求項６４に記載のシステムであって、前記メディアアイテムの前記携帯メディアプレーヤーおよび前記ホストコンピュータ間でのシンクロは、前記プレーヤーメディア情報の前記ホストメディア情報との比較に基づくシステム。
【請求項６６】
請求項６０に記載のシステムであって、前記管理モジュールはユーザが前記ホストコンピュータにメディアアイテムを追加し、かつそれから削除できるようにするシステム。
【請求項６７】
請求項５６に記載のシステムであって、いったん前記携帯メディアプレーヤーが前記ホストコンピュータに接続すると、メディアアイテムまたはプレイリストが前記携帯メディアプレーヤーに追加され、またはそれから削除されるシステム。
【請求項６８】
請求項６７に記載のシステムであって、いったん前記携帯メディアプレーヤーが前記ホストコンピュータに接続すると、前記管理モジュールは、メディアアイテムまたはプレイリストを前記携帯メディアプレーヤーおよび前記ホストコンピュータ間でシンクロさせるように動作するシステム。
【請求項６９】
メディアデータを管理および再生するシステムであって、
複数のメディアアイテムを管理する管理モジュール、前記メディアアイテムを前記ホストコンピュータのユーザのために再生するホスト再生モジュール、および複数のメディアアイテムを記憶するホストメディア記憶を少なくとも含むホストコンピュータ、および
複数のメディアアイテムを記憶するプレーヤーメディア記憶、および前記メディア記憶内に記憶された前記メディアアイテムを前記携帯メディアプレーヤーのユーザのために再生するプレーヤー再生モジュールを少なくとも含む携帯メディアプレーヤー
を備えるシステムであって、
前記携帯メディアプレーヤーは管理モジュールを持たない
システム。
【請求項７０】
請求項６９に記載のシステムであって、前記携帯メディアプレーヤーが動作可能に前記ホストコンピュータに接続されるとき、前記携帯メディアプレーヤーは１つ以上の前記メディアアイテムについてのメディアデータを前記ホストコンピュータから受け取り、前記受け取られたメディアデータを前記プレーヤーメディア記憶に記憶するシステム。
【請求項７１】
請求項７０に記載のシステムであって、前記プレーヤーメディアデータ記憶は、前記メディアアイテムを記憶するハードドライブを備えるシステム。
【請求項７２】
請求項７０に記載のシステムであって、前記管理モジュールは、ユーザが前記ホストコンピュータにメディアアイテムを追加し、かつそれから削除できるようにするシステム。
【請求項７３】
請求項７２に記載のシステムであって、いったん前記携帯メディアプレーヤーが前記ホストコンピュータに接続すると、前記管理モジュールは、メディアアイテムを前記携帯メディアプレーヤーおよび前記ホストコンピュータ間でシンクロさせるように動作するシステム。
【請求項７４】
請求項７３に記載のシステムであって、前記携帯メディアプレーヤーは、プレーヤーメディア情報を記憶するプレーヤーメディアデータベースを含み、前記ホストコンピュータは、ホストメディア情報を記憶するホストメディアデータベースを含むシステム。
【請求項７５】
請求項７４に記載のシステムであって、前記メディアアイテムの前記携帯メディアプレーヤーおよび前記ホストコンピュータ間での前記シンクロは、前記プレーヤーメディア情報の前記ホストメディア情報との比較に基づくシステム。
【請求項７６】
メディアコンテンツをホストコンピュータから携帯メディアプレーヤーに転送する方法であって、前記ホストコンピュータは複数のメディアアイテムのそれぞれについてのメディアアイテムデータおよびメディア情報データを記憶し、前記方法は、
前記携帯メディアプレーヤーを前記ホストコンピュータに接続すること、および
１つ以上のメディアアイテムについての前記メディアアイテムデータおよび前記メディア情報データを前記ホストコンピュータから前記携帯メディアプレーヤーに転送すること
を含む方法。
【請求項７７】
請求項７６に記載の方法であって、転送される前記メディア情報データのうちの少なくとも一部は前記ホストコンピュータにおいてユーザによって特定される方法。
【請求項７８】
請求項７６に記載の方法であって、前記メディア情報データは少なくとも前記メディアアイテムの再生のためのクオリティの特徴を含む方法。
【請求項７９】
請求項７８に記載の方法であって、前記クオリティの特徴はイコライゼーション設定およびボリューム設定のうちの少なくとも１つを含む方法。
【請求項８０】
請求項７６に記載の方法であって、前記メディア情報データは、前記ホストコンピュータから前記携帯メディアプレーヤーに転送される前記メディアアイテムの１つ以上のもののそれぞれについての少なくとも１つのイコライゼーション設定を含む方法。
【請求項８１】
請求項８０に記載の方法であって、前記携帯メディアプレーヤーに転送される前に、前記少なくとも１つのメディアアイテムのそれぞれについての前記少なくとも１つのイコライゼーション設定は、前記ホストコンピュータにおいてユーザによって特定される方法。
【請求項８２】
請求項８１に記載の方法であって、前記イコライゼーション設定は、複数の所定のイコライゼーション設定のうちの１つを選択することによってユーザによって特定される方法。
【請求項８３】
請求項８１に記載の方法であって、前記イコライゼーション設定は、複数の異なる周波数範囲についての特定の振幅レベルを特定することによってユーザによって特定される方法。
【請求項８４】
請求項８１に記載の方法であって、
その後、前記１つ以上のメディアアイテムのうちの特定の１つを、前記ホストコンピュータから前記携帯メディアプレーヤーに転送された前記１つ以上のメディアアイテムの前記特定の１つに対応する前記少なくとも１つのイコライゼーション設定を用いて前記携帯メディアプレーヤー上で再生すること
をさらに含む方法。
【請求項８５】
請求項７６に記載の方法であって、前記メディアプレーヤーはメディア記憶およびプレーヤーメディアデータベースを含み、前記メディアアイテムデータは前記メディア記憶に記憶され、前記メディア属性データは前記プレーヤーメディアデータベースに記憶される方法。
【請求項８６】
メディアアイテムをメディアプレーヤー上で再生する方法であって、
再生されるべき前記メディアアイテムについてのメディア情報の少なくとも一部を取り出すことであって、前記メディアアイテムについての前記メディア情報およびメディアアイテムデータは以前に前記メディアプレーヤーに転送され記憶され、前記メディア情報は前記メディアアイテムに関連付けられた少なくともクオリティの特徴を含む、取り出すこと、
前記メディアアイテムに関連付けられた前記クオリティの特徴にしたがって前記メディアプレーヤーを構成すること、および
その後、前記メディアアイテムを前記メディアプレーヤー上で構成されたように再生すること
を含む方法。